(57)【要約】      （修正有）【課題】手軽に短時間でベッドメイキングすることが可能であり、使用してもずれたり皺になったりすることがないベッドシーツを提供する。【解決手段】ベッドシーツ１０は、矩形形状のシーツ本体１１と、面ファスナー１２Ａと、装飾部材とを備え、シーツ本体は、マットレス３０の表面の長辺より長い長辺および、マットレスの表面の短辺より長い短辺を有し、面ファスナーは、マットレスの周縁部に沿って設けられた雌雄何れか一方の面ファスナー１２Ｂと対応する位置で、かつシーツ本体の裏面１１Ｂに設けられた雌雄の他方の面ファスナーであり、装飾部材は、シーツ本体の表面であって、他方の面ファスナー１２Ａが設けられた位置に対応する位置の外方に設けられる。【選択図】図２
0003224620.tif 000002
【実用新案登録請求の範囲】
【請求項１】
マットレスに敷くベッドシーツであって、
矩形形状のシーツ本体と、
面ファスナーと、
装飾部材と、
を備え、
前記シーツ本体は、前記マットレスの表面の長辺より長い長辺および、前記マットレスの前記表面の短辺より長い短辺を有し、
前記面ファスナーは、前記マットレスの上面を被覆するように前記シーツ本体が掛けられた場合には、前記マットレスの周縁部に沿って設けられた雌雄何れか一方の面ファスナーと対応するように前記シーツ本体の裏面に設けられた雌雄の他方の面ファスナーであり、
前記装飾部材は、前記シーツ本体の表面であって、前記他方の面ファスナーが設けられた位置に対応する位置の外方に設けられた、
ことを特徴とするベッドシーツ。
【請求項２】
前記装飾部材は、前記マットレスの側面を覆う長さを有する、ことを特徴とする請求項１に記載のベッドシーツ。
【請求項３】
前記面ファスナーは、複数個である、ことを特徴とする請求項１または２に記載のベッドシーツ。
【請求項４】
前記面ファスナーは、５００ｍｍ（５０ｃｍ）以下の間隔で設けられている、ことを特徴とする請求項３に記載のベッドシーツ。
【考案の詳細な説明】
【技術分野】
【０００１】
本考案は、マットレスの表面を覆うように敷くことが可能なベッドシーツに関する。
【背景技術】
【０００２】
従来、汎用されているベッドシーツは、長方形の一枚布で構成され、マットレスを包み込んで使用する。このようなベットシーツは、使用者が使用している（就寝している）最中に、マットレスとベットシーツがずれてしまったり、ベットシーツが皺になってしまったりするため、ベットシーツの少なくとも一辺の端部を折り曲げて袋状にし、その折り曲げた部分の下面に面ファスナーを備えたものがあった（例えば、特許文献１を参照。）。
【先行技術文献】
【特許文献】
【０００３】
【特許文献１】特開２０００−１３９６５７号公報
【考案の概要】
【考案が解決しようとする課題】
【０００４】
しかしながら、上述のような従来技術は、ベッドメイキングに時間を要してしまう、という問題があった。特に、病院、高齢者用施設、ホテル等の多数のベッドを有する施設で使用する場合には、ベッドメイキングに多くの時間を要してしまう、という問題があった。
【０００５】
本考案は、上述のような実状に鑑みてなされたものであり、手軽に短時間でベッドメイキングすることが可能であり、使用してもずれたり皺になったりすることがないベッドシーツを提供することが課題である。
【課題を解決するための手段】
【０００６】
上記課題を解決するために、下記のような構成を採用した。
すなわち、請求項１に記載の考案は、マットレスに敷くベッドシーツであって、矩形形状のシーツ本体と、面ファスナーと、装飾部材と、を備え、前記シーツ本体は、前記マットレスの表面の長辺より長い長辺および、前記マットレスの前記表面の短辺より長い短辺を有し、前記面ファスナーは、前記マットレスの上面を被覆するように前記シーツ本体が掛けられた場合には、前記マットレスの周縁部に沿って設けられた雌雄何れか一方の面ファスナーと対応するように設けられた雌雄の他方の面ファスナーであり、前記装飾部材は、前記シーツ本体の表面であって、前記他方の面ファスナーが設けられた位置に対応する位置の外方に設けられた、ことを特徴とする。
【０００７】
本考案により、ベッドシーツの側部をマットレスの下部に織り込むことなく、マットレスの表面を覆うようにベットシーツを敷くことができるので、手軽に短時間でベッドメイキングすることができ、使用してもずれたり皺になったりすることがない。さらに、シーツ本体の裏面に設けられた雌雄の他方の面ファスナーの外方に装飾部材を設けることで、ベッドメイキングされたベッドの美観を向上させることができる。
【０００８】
請求項２に記載の考案は、請求項１に記載の考案であって、前記装飾部材は、前記マットレスの側面を覆う長さを有する、ことを特徴とする。
【０００９】
本考案により、ベッドメイキングされたベッドの使用時に、ベッド側面の美観を向上させることができる。
【００１０】
請求項３に記載の考案は、請求項１または２に記載の考案であって、前記面ファスナーは、複数個である、ことを特徴とする。
【００１１】
本考案により、手軽にベットシーツを敷くことが可能となる。
【００１２】
請求項４に記載の考案は、請求項３に記載の考案であって、前記面ファスナーは、５００ｍｍ（５０ｃｍ）以下の間隔で設けられている、ことを特徴とする。
【００１３】
本考案により、隣接する面ファスナーの間隔を狭く（５００ｍｍ以下）設けることができるので、皺がよることなくベッドシーツを使用することが可能となる。
【考案の効果】
【００１４】
本考案によれば、マットレスの周縁部に沿って設けられた雌雄何れか一方の面ファスナーと対応し、シーツ本体の裏面に設けられた雌雄の他方の面ファスナーとを備えることにより、ベッドシーツの側部をマットレスの下部に織り込むことなくマットレスの表面を覆うように敷くことができるので、手軽に短時間でベッドメイキングすることが可能となり、使用してもずれたり皺になったりすることがない、という効果を奏する。さらに、シーツ本体の裏面に設けられた雌雄の他方の面ファスナーの外方に装飾部材を設けることで、ベッドメイキングされたベッドの美観を向上させることができる、という効果を奏する。
【図面の簡単な説明】
【００１５】
【図１】本考案の実施の形態に係るベットシーツ、およびベットシーツを適用するベッドの斜視図である。
【図２】本考案の実施の形態に係るベットシーツの裏面、およびマットレスの上面を示す図である。
【図３】本考案の実施の形態に係るベットシーツの表面、およびマットレスの上面を示す図である。
【図４】本考案の実施の形態に係るベットシーツをベッドに取り付けた状態を示す図である。
【考案を実施するための形態】
【００１６】
以下に図面を参照して、本考案を実施するために好適な実施の形態を例示的に詳しく説明する。ただし、本実施の形態に記載されている構成部品の寸法、材質、形状、その相対配置などは、特に特定的な記載がない限りは、本考案の範囲をそれらのみに限定する趣旨のものではない。
【００１７】
本考案の実施の形態にかかるベットシーツは、病院、高齢者用施設、ホテル等の多数のベッドのマットレスに敷くためのベッドシーツに適用可能であるが、一般家庭のベッドのマットレスに敷くためのベッドシーツとしても適用可能である。
【００１８】
図１は、本考案の実施の形態に係るベットシーツ、およびベットシーツを適用するベッドの斜視図である。
【００１９】
図１に示すように、ベッド２０は、ベッドフレーム上に配置されるマットレス３０を備える。マットレス３０は、例えば、同一生地からなる上下一対のマットレス表装材と、両マットレス表装材の間に配置される弾性ユニットなどで構成されている。
【００２０】
マットレス３０は、直方体であり、例えば、長辺が２０００ｍｍ（２００ｃｍ）、短辺が１０００ｍｍ（１００ｃｍ）、厚みが１００〜３００ｍｍ（１０〜３０ｃｍ）である。
【００２１】
マットレス３０の上には、矩形形状のベッドシーツ１０が敷かれる。ベッドシーツ１０については、図２および図３を用いて詳述する。
【００２２】
図２は、本考案の実施の形態に係るベットシーツの裏面、およびマットレスの上面を示す図であり、図３は、本考案の実施の形態に係るベットシーツの表面、およびマットレスの上面を示す図である。
【００２３】
図２および図３に示すように、ベッドシーツ１０は、シーツ本体１１（図２、３）、面ファスナー１２（図２；雄の面ファスナー１２Ａ）、および装飾部材１３（図３）を備える。
【００２４】
シーツ本体１１は、合成繊維および天然繊維から選ばれた少なくとも１種、またはこれらの混合繊維により構成されている。合成繊維としては、例えば、アクリルやモダアクリルなどのアクリル系繊維、ポリエステル系繊維、ナイロン６やナイロン６６などのナイロン系繊維、ポリエチレンやポリプロピレンなどのポリオレフィン系繊維、ポリアミド系繊維、ポリ塩化ビニル系繊維、ビニロン繊維、ポリウレタン系繊維が用いられる。天然繊維としては、例えば、綿、麻、ケナフ、パルプなどの天然セルロース繊維、ビスコースレーヨン、アセテートなどの再生セルロース繊維、カシミアやアンゴラなどの獣毛、絹が用いられる。
【００２５】
シーツ本体１１は、図２および図３に示すように、矩形形状であり、マットレス３０の表面の長辺より長い長辺および、マットレス３０の表面の短辺より長い短辺を有する。例えば、長辺が２２００〜２６００ｍｍ（２２０〜２６０ｃｍ）、短辺が１２００〜１６００ｍｍ（１２０〜１６０ｃｍ）である。
【００２６】
なお、マットレス３０には、図２および図３に示すように、雌雄何れか一方の面ファスナー、例えば、雌の面ファスナー１２Ｂが、本実施の形態にあっては１０か所に周縁部に沿って設けられている。
【００２７】
シーツ本体１１にあっては、図２に示すように、マットレス３０の上面を被覆するようにシーツ本体１１が掛けられた場合に、マットレス３０の周縁部に沿って設けられた雌雄何れか一方の面ファスナー１２（雌の面ファスナー１２Ｂ）と対応する位置で、かつシーツ本体１１のシーツ裏面１１Ｂに、雌雄の他方の面ファスナー１２、例えば、雄の面ファスナー１２Ａが、シーツ本体１１の周縁部よりもやや内方においてマットレス３０と同様に１０か所に設けられている。
【００２８】
面ファスナー１２とは、布または合成繊維で着脱自在に形成された一対の面状部材である。一方の面状部材の表面には微小な鉤構造（フック）が複数形成され（雄の面ファスナー１２Ａ）、他方の表面には微小な環構造（ループ）が複数形成される（雌の面ファスナー１２Ｂ）。環構造と鉤構造とを軽く接触させることでこれらが係合し、両者を簡単に結合させることができる。また、鉤構造が変形する程度の力で両者を引き剥がすことで、簡単に分離させることもできる。
【００２９】
面ファスナー１２（雄の面ファスナー１２Ａ、雌の面ファスナー１２Ｂ）は、例えば、１００ｍｍ（１０ｃｍ）×３０ｍｍ（３ｃｍ）の矩形形状である。
【００３０】
シーツ１１が備える面ファスナー（雄の面ファスナー１２Ａ）は、複数個であり、マットレス３０の周縁部に沿って設けられた雌雄何れか一方の面ファスナー（雌の面ファスナー１２Ｂ）と同数である。これらの面ファスナー（雄の面ファスナー１２Ａ、雌の面ファスナー１２Ｂ）は、例えば、５００ｍｍ（５０ｃｍ）以下の間隔で設けられている。
【００３１】
装飾部材１３は、図３に示すように、シーツ本体１１のシーツ表面１１Ａであって、他方の面ファスナー（雄の面ファスナー１２Ａ）が設けられた位置に対応する位置の外方に設けられている。
【００３２】
装飾部材１３は、例えば、フリルである。フリルは、所望の布地を所望の幅に裁断して１枚のフリル布を作り、そのフリル布の端部のほつれを防ぐための処理が行われたものである。さらに、フリル布の端部部分を縫い縮めることで、均等にギャザーを施したものもある。
【００３３】
図４は、本考案の実施の形態に係るベットシーツをベッドに取り付けた状態を示す図である。
【００３４】
シーツ１１が備える面ファスナー（雄の面ファスナー１２Ａ）と、マットレス３０の周縁部に沿って設けられた雌雄何れか一方の面ファスナー（雌の面ファスナー１２Ｂ）との位置を合わせ、ベッドシーツ１０をマットレス３０の上に敷く。
【００３５】
すると、図４に示すように、ベッドシーツ１０をマットレス３０の上に敷いた際に、雄の面ファスナー１２Ａと雌の面ファスナー１２Ｂとが軽く接触されることでこれらが係合し、両者が結合するので、ベッドシーツ１０の位置ずれを抑制する。このため、ベッドシーツ１０は好適に、マットレス３０の上に重ね置くだけで装着が完了する。
【００３６】
ベッドシーツ１０をマットレス３０の上に敷いた状態では、装飾部材１３は、マットレス３０の側面を覆っている。換言すれば、装飾部材１３は、マットレス３０の側面を覆う長さを有する。
【００３７】
以上、本実施の形態を説明したが、本考案は、本実施の形態に限定されることなく、その要旨を逸脱しない範囲内で種々の変形実施をすることが可能である。
【００３８】
例えば、面ファスナー１２の数、サイズ、形状等は、適宜変更することが可能である。
【００３９】
また、装飾部材１３は、単純なフリルだけに限られない。任意の図柄、スパンコール、ラインストーン等の装飾を適宜加えることも可能である。
【産業上の利用可能性】
【００４０】
本考案は、マットレスの表面を覆うように敷くことが可能なベッドシーツに関するものであり、特に、病院、高齢者用施設、ホテル等の多数のベッドを有する施設で使用する、ベッドのマットレスの表面を覆うように敷くことが可能なベッドシーツに関するものであり、広く産業上の可能性を有している。
【符号の説明】
【００４１】
１０      ベッドシーツ
１１      シーツ本体
１１Ａ  シーツ表面
１１Ｂ  シーツ裏面
１２      面ファスナー
１２Ａ  雄の面ファスナー
１２Ｂ  雌の面ファスナー
１３      装飾部材
２０      ベッド
３０      マットレス
【図１】
0003224620.tif 000003
【図２】
0003224620.tif 000004
【図３】
0003224620.tif 000005
【図４】
0003224620.tif 000006